(57)【要約】【課題】２枚の電子基板の寸法を変えずに筐体の高さ寸法を抑制し、作業性をよくすることができる空気調和機の室外機を提供することを目的としている。【解決手段】天面を形成する天板６０と、天板６０側に配置され、複数枚の電子基板９０、１００を有する電気品箱８０と、を備え、電子基板９０、１００は、それぞれ天板６０と平行となるように上下方向に空間を介して並べられ、一番下の電子基板１００は、作業者が操作する頻度が高い部品が集中して実装され、その部品を実装した面を下にして配置されたものである。【選択図】図１
2014159909.tif 000002
【特許請求の範囲】
【請求項１】
天面を形成する天板と、
該天板側に配置され、複数枚の電子基板を有する電気品箱と、を備え、
前記電子基板は、
それぞれ前記天板と平行となるように上下方向に空間を介して並べられ、
一番下の前記電子基板は、
作業者が操作する頻度が高い部品が集中して実装され、
前記部品を実装した面を下にして配置された
ことを特徴とする空気調和機の室外機。
【請求項２】
作業用開口部に取り付けられる作業用ふたと、
天面を形成する天板と、
該天板側に配置され、複数枚の電子基板を有する電気品箱と、を備え、
前記電子基板は、
それぞれ上下方向に空間を介して並べられ、
一番下以外の前記電子基板は、
前記天板と平行となるように配置され、
一番下の前記電子基板は、
作業者が操作する頻度が高い部品を集中して実装され、
前記作業用ふたを取り外して前記作業用開口部から、前記部品を集中して実装した面が見えやすくなるように傾斜を設けて配置された
ことを特徴とする空気調和機の室外機。
【請求項３】
前記電気品箱は、
一番下の前記電子基板を保持する基板保持部品と、回転軸部と、を備え、
前記基板保持部品は、
前記回転軸部を中心に回転する
ことを特徴とする請求項１または２に記載の空気調和機の室外機。
【請求項４】
前記電気品箱は、
前記基板保持部品の回転を規制するストッパーが設けられている
ことを特徴とする請求項３に記載の空気調和機の室外機。
【発明の詳細な説明】
【技術分野】
【０００１】
本発明は、空気調和機の室外機に関し、特に室外機内における電子基板の配置に関するものである。
【背景技術】
【０００２】
近年、空気調和機の室外機は、製造費用の削減による筐体寸法の縮小、運転効率向上のための風路容積の拡大や放熱性能の改善、多機能化による基板面積の拡大など、製品への要求が高まってきている。
一方、低コストで圧縮機をはじめとする冷媒回路を構成するなかで、冷媒回路容積を縮小する技術開発は進んでいないため、電子基板の配置空間への制約が大きくなってきている。
そこで、電子基板を配置空間への制約上、複数枚構成にすることが考えられる。
【０００３】
図５は、従来の空気調和機の室外機１１における外観図、図６は、図５の空気調和機の室外機１１から作業用ふた２１を外した際の外観図、図７は、図６の空気調和機の室外機１１の電気品箱８１における拡大図である。
従来の空気調和機の室外機１１において、図５に示す室外機１１から作業用ふた２１を外すと、図示省略の仕切板によって隔てられた機械室が図６に示すように作業用開口部２１Ａから露出され、その部屋の内部には圧縮機７１Ａなどで構成される冷媒回路７１や、電子基板９１、１０１などが収納されている。また、図７に示すように２枚の電子基板９１、１０１が電気品箱８１内に設けられ、どちらの電子基板９１、１０１も室外機１１の天板６１（または底板３１）に対して垂直となるように前後に並べて配置されている。
【０００４】
また、２枚の電子基板は、天板側に配置された電気品箱内に設けられ、一方の電子基板は室外機の天板（または底板）に対して平行となるように配置され、他方の電子基板は室外機の底面に対して垂直となるように配置されているものがある（特許文献１及び特許文献２参照）。
【０００５】
また、１枚の電子基板は、天板側に配置された電気品箱内に設けられ、室外機の天板（または底板）に対して平行となるように、部品実装面を下にして配置されている。また、電気品箱が回動支持部を有し、電子基板の放熱用ヒートシンクのフィンを空気の流通方向に合わせるよう角度を変更可能にしたものがある（特許文献３参照）。
【先行技術文献】
【特許文献】
【０００６】
【特許文献１】特開平１１−６３５７４号公報（たとえば、図１〜３参照）
【特許文献２】特開２００６−１９４５３２号公報（たとえば、図１、図４参照）
【特許文献３】特開２０１０−１９０４５４号公報（たとえば、図１〜４参照）
【発明の概要】
【発明が解決しようとする課題】
【０００７】
図５及び図６に示す空気調和機の室外機１１において、２枚の電子基板９１、１０１が室外機１１の天板６１（または底板３１）に対して垂直となるように配置されているため、電子基板９１、１０１の高さ方向の配置空間が大きくなり、筐体の高さ寸法も大きくなってしまうという課題があった。
【０００８】
特許文献１及び２に記載の空気調和機の室外機も同様に、１枚の電子基板が室外機の底板（または天板）に対して垂直となるように配置されているため、電子基板の高さ方向の配置空間が大きくなり、筐体の高さ寸法も大きくなってしまうという課題があった。
【０００９】
特許文献３に記載の空気調和機の室外機は、１枚の電子基板が室外機の天板（または底板）に対して平行となるように配置されているため、電子基板の高さ方向の配置空間は大きくならず、筐体の高さ寸法を抑えることができる。また、電気品箱の角度を変えることでヒートシンクの放熱性能は改善されるが、ヒートシンクが取り付けられる電子基板の傾斜が、作業用ふたを開けた際に、作業者が基板面を見やすい方向とは逆方向となる。さらに、もう１枚の電子基板も室外機の天板（または底板）に対して平行となるように、２枚の電子基板を上下方向に並べて配置した場合、一方の電子基板の部品実装面が他方の電子基板で隠れてしまう。
そのため、操作する頻度が高い部品が、他方の電子基板で隠れた電子基板に実装されていると、作業しづらく作業性が悪いという課題があった。
【００１０】
本発明は、以上のような課題を解決するためになされたもので、複数枚の電子基板の寸法を変えずに筐体の高さ寸法を抑制し、作業性をよくすることができる空気調和機の室外機を提供することを目的としている。
【課題を解決するための手段】
【００１１】
本発明に係る空気調和機の室外機は、天面を形成する天板と、該天板側に配置され、複数枚の電子基板を有する電気品箱と、を備え、前記電子基板は、それぞれ前記天板と平行となるように上下方向に空間を介して並べられ、一番下の前記電子基板は、作業者が操作する頻度が高い部品が集中して実装され、前記部品を実装した面を下にして配置されたものである。
【発明の効果】
【００１２】
本発明に係る空気調和機の室外機によれば、複数枚の電子基板をそれぞれ室外機の天板（または底板）に対して平行となるように配置したので、複数枚の基板の寸法を変えずに筐体の高さ寸法を抑制でき、操作する頻度が高い部品を作業者が操作しやすい一番下の電子基板に実装したため、作業性をよくすることができる。
【図面の簡単な説明】
【００１３】
【図１】本発明の実施の形態１に係る空気調和機の室外機から作業用ふたを外した際の概略図である。
【図２】本発明の実施の形態２に係る空気調和機の室外機から作業用ふたを外した際の概略図である。
【図３】本発明の実施の形態３に係る空気調和機の室外機から作業用ふたを外した際の概略図である。
【図４】図３の空気調和機の室外機の電気品箱における拡大図である。
【図５】従来の空気調和機の室外機における外観図である。
【図６】図５の空気調和機の室外機から作業用ふたを外した際の外観図である。
【図７】図６の空気調和機の室外機の電気品箱における拡大図である。
【発明を実施するための形態】
【００１４】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
実施の形態１．
図１は、本発明の実施の形態１に係る空気調和機の室外機１０から作業用ふたを外した際の概略図である。
【００１５】
空気調和機の室外機１０は、背面を形成する図示省略の背面パネルと、正面視して左側面を形成する図示省略の側板と、作業用開口部２０Ａに取り付けられ、正面視して右側面と前面の一部を形成する図示省略の作業用ふたと、底面を形成する底板３０と、天面を形成する天板６０と、前面を形成する前面パネル５０とで筐体（外観）が構成されている。室外機１０の内部は図示省略の仕切板によって左右に分けられ、正面視して左側に位置する風路室と、右側に位置する機械室とで構成されている。
【００１６】
風路室には、風路室の側面から背面全体にかけて設けられた図示省略の熱交換器と、熱交換器の上下方向に渡って設けられた図示省略の取付板と、その取付板に取り付けられた送風ファン４０と、が収容されている。
【００１７】
送風ファン４０が動作することにより、例えば室外機１０の側板と背面パネルとに設けられた図示省略の吸込口から空気が内部に流入し、その空気は、送風ファン４０によって前面に設けられた吹出口５０Ａから室外機１０の前方に流出する。その際、例えば冷房運転時において、熱交換器内の冷媒は流入した空気によって冷却され、熱交換器に流入した空気は冷媒と熱交換することで加熱される。
【００１８】
機械室には、図示省略の圧縮機や冷媒配管などで構成される、底板３０側に配置された冷媒回路７０（簡略化して図示している）と、その上側に配置された電気品箱８０と、が収容されている。図示省略の室内機から送られた冷媒は圧縮機において圧縮され、冷媒配管を通って熱交換器に送られる。また、電気品箱８０は各部品への電力供給を行う。
【００１９】
電気品箱８０は天板６０側に配置されており、その電気品箱８０には、天板６０（または底板３０）と平行となるように２枚の電子基板９０、１００が、電子部品が実装された面（以下、部品実装面と称する）を下にして上下方向に並べられ、絶縁距離及び電子基板９０、１００に接続される配線を取り回すのに必要な空間を確保して配置されている。
つまり、電子基板９０、１００は互いに平行となるように配置されている。
なお、２枚の電子基板９０、１００の部品実装面を下にして配置したのは、作業者が作業用ふたを取り外して作業用開口部２０Ａから手を入れ、電子基板９０、１００の部品実装面に対して作業しやすくするためである。
上側の電子基板９０は、パワー系の電子回路と放熱用ヒートシンクが実装されている。
下側の電子基板１００は、通常の製品の据え付けやサービスの頻度が高い操作部品、及び接続コネクタなど、作業者が操作する頻度が高い部品が集中して実装されており、上側の電子基板９０を操作しなくてもよいようになっている。
【００２０】
以上のように、２枚の電子基板９０、１００を天板６０（または底板３０）と平行となるように配置することで、２枚の電子基板９０、１００の寸法を大きくしても電子基板９０、１００の高さ方向の配置空間は変わらないため、室外機１０の筐体の高さ寸法を抑制することができる。また、操作する頻度が高い部品を、作業者が操作しやすい下側の電子基板１００に実装したため、作業性をよくすることができる。
【００２１】
なお、本実施の形態１において、電子基板９０、１００は互いに平行となるように配置されているとしたが、厳密に平行でなくてもよい。
ただし、厳密に平行となるように配置した方が電子基板９０、１００の配置空間を抑えることができる。
【００２２】
実施の形態２．
図２は、本発明の実施の形態２に係る空気調和機の室外機１０から作業用ふたを外した際の概略図である。
以下、本実施の形態２について説明するが、本実施の形態１と重複するものについては省略する。
【００２３】
電気品箱８０は天板６０に配置されており、その電気品箱８０には、２枚の電子基板９０、１００が部品実装面を下にして上下方向に並べられ、絶縁距離及び電子基板９０に接続される配線を取り回すのに必要な空間を確保して配置されている。
本実施の形態２では、上側の電子基板９０は天板６０（または底板３０）と平行に配置されており、下側の電子基板１００は前面側が背面側よりも上に位置するように傾斜を設けて配置されている。
【００２４】
以上のように配置することで、作業者が作業用ふたを取り外して作業用開口部２０Ａから作業を行う電子基板１００の部品実装面が見えやすくなり、作業性をさらによくすることができる。
【００２５】
実施の形態３．
図３は、本発明の実施の形態３に係る空気調和機の室外機１０から作業用ふたを外した際の概略図、図４は、図３の空気調和機の室外機１０の電気品箱８０における拡大図である。
以下、本実施の形態３について説明するが、本実施の形態１及び２と重複するものについては省略する。
【００２６】
電気品箱８０は、下側の電子基板１００を保持する基板保持部品１２０と、上側の電子基板９０を保持する基板保持部品１１０と、を有し、基板保持部品１２０に回転軸部１３０が設けられ、基板保持部品１１０に軸受け部品１４０が設けられることで、下側の電子基板１００を、回転軸部１３０を中心に回転できる構造となっている。
そして、下側の電子基板１００を固定している固定部１５０を外すことにより、基板保持部品１２０が回転して下側の電子基板１００も回転する。その際、下側の電子基板１００がその下に配置されている冷媒回路７０と干渉しないように、回転を規制するストッパー１６０が設けられている。
【００２７】
以上のように、電気品箱８０に回転構造を設け、それに保持された下側の電子基板１００を回転させることにより、作業を行う電子基板１００の部品実装面が見えやすい位置に動かすことができ、また、作業しやすい位置に動かすことができる。
さらに、下側の電子基板１００を回転させることにより、上側の電子基板９０の部品実装面を見えやすくすることができ、また、作業しやすくすることができる。
以上より、作業性をさらによくすることができる。
【００２８】
なお、本実施の形態１〜３では、電気品箱８０に２枚の電子基板が配置された構成となっているが、それに限定されるものではなく、３枚以上でもよい。その際は、「下側」を「一番下」に、「上側」を「一番下以外」に置き換えることにより、同様の効果を得ることができる。
【符号の説明】
【００２９】
１０  室外機、１１  （従来の）室外機、２０Ａ  作業用開口部、２１  （従来の）作業用ふた、２１Ａ  （従来の）作業用開口部、３０  底板、３１  （従来の）底板、４０  送風ファン、５０  前面パネル、５０Ａ  吹出口、６０  天板、６１  （従来の）天板、７０  冷媒回路（配管）、７１  （従来の）冷媒回路（配管）、７１Ａ  （従来の）圧縮機、８０  電気品箱、８１  （従来の）電気品箱、９０  電子基板（上側）、９１  （従来の）電子基板（後側）、１００  電子基板（下側）、１０１  （従来の）電子基板（前側）、１１０  基板保持部品（上側）、１２０  基板保持部品（下側）、１３０  回転軸部、１４０  軸受け部品、１５０  固定部、１６０  ストッパー。
【図１】
2014159909.tif 000003
【図２】
2014159909.tif 000004
【図３】
2014159909.tif 000005
【図４】
2014159909.tif 000006
【図５】
2014159909.tif 000007
【図６】
2014159909.tif 000008
【図７】
2014159909.tif 000009